(57)【特許請求の範囲】
【請求項１】
パルスジェット方式の逆洗機構を持つ濾過式集塵装置に使用するリテーナ・濾布組み立て体において、
上部の中心に空気流通孔を備えた濾布と、
中心に螺子孔を有する上端部材と、該上端部材の外周から垂下した複数本の外枠部材とからなり、それによって前記濾布を外周に保持するための枠組みを形成している筒状のリテーナと、
外周に雄螺子を有して前記リテーナの上端部材の中心螺子孔に下端を固定した管と、
前記管の外周に螺合する雌螺子孔を内側に有する短管状の幹部と該幹部から延びたフランジとからなる緊締部材と、
を包含し、前記緊締部材の下端と前記リテーナの上端部材との間で前記濾布の空気流通孔の周縁部を密封状に締め付け固定するとともに、前記緊締部材のフランジと集塵装置側に設けた取付具のフランジとを連結して取り付けるようにしたことを特徴とする濾過式集塵装置のリテーナ・濾布組み立て体。
【請求項２】
前記濾布が縦形円筒中心部と該中心部から放射状に突出して該中心部に連通した翼部とからなることを特徴とする請求項１に記載の濾過式集塵装置のリテーナ・濾布組み立て体。
【請求項３】
請求項１に記載の濾過式集塵装置のリテーナ・濾布組み立て体を集塵装置本体の天井に取り付ける方法において、
該天井に開けられた清浄空気導出口に固定される連結部と、前記緊締部材のフランジに対応するフランジを有する取付具とによりリテーナ・濾布組み立て体を取り付けることを特徴とする方法。
【発明の詳細な説明】
【０００１】
【発明の属する技術分野】
本発明は濾過式集塵装置のリテーナ・濾布組み立て体とその取り付け方法に関する。
【０００２】
【従来の技術】
従来、織布やその他の濾布を筒状にして吊し、これに含塵空気を透過することにより、空気中の塵埃の除去を行う濾過式集塵装置（バッグフィルタ）が広く使用されている。
【０００３】
この濾過式集塵装置には枠体であるリテーナの周囲に濾布を筒状に被せたフィルター、すなわち、リテーナ・濾布組み立て体が使用されている。この濾布組み立て体は清浄空気室に接続して使用するが集塵装置本体側の天井の清浄空気導出口に取り付ける方法として、濾過前の含塵空気が入る前記天井に設けてある円筒形の短い管を、濾布の幅側にリテーナを入れ、その濾布の末端を内側に折り返し、その短い管をリテーナの末端に挿入させ、これらが重なり合った部分を外側から締め付けバンドで締め付け固定する方法がある。前述の集塵装置本体の天井に設けてある円筒形の短い管の内側には圧縮空気による塵埃払い落とし効果を助長するためベンチュリーと呼ばれるものが取り付けられ、瞬間的にパルス状空気により発生する負圧により清浄室の大量の空気をリテーナ内部に送りこむようになっている。
【０００４】
また、リテーナ・濾布組み立て体を集塵装置本体の清浄空気導出口に取り付ける方法として、集塵装置本体の濾過済みの清浄空気が通る部屋から、濾過前の含塵空気が入る入る部屋に向かって開かれた開口部すなわち清浄空気導出口へ、差し込む方法がある。
【０００５】
また、リテーナ・濾布組み立て体を集塵装置本体の清浄空気導出口に取り付ける方法として、濾過前の含塵空気が入る集塵装置本体の天井に設けてある円筒形の短い管を、濾布の末端を内側に折り返したリテーナの末端に挿入させ、リテーナの縁の丸棒を巻いた部分を押え金具で押さえ付ける方法もある。
【０００６】
【発明が解決しようとする課題】
これらのリテーナ・濾布組み立て体において濾布を交換する際、リテーナ組立て体を装置から外して交換するか、集塵装置本体の清浄空気の通る部屋から、出し入れするため、これが設置されている場所に建物の壁や天井が近接している場合、リテーナ組立体を引き抜くことができず、狭いところでは設置ができない欠点がある。すなわち、設置場所としてはリテーナ組立体を引き抜くことができだけの空間のある場所に限定されることになる。
【０００７】
また、別の形式のリテーナ・濾布組み立て体では、集塵装置本体の清浄空気導出口に取り付ける方法として、濾過前の含塵空気が入る集塵装置本体の天井に設けてある円筒形の短い管を、濾布の末端を内側に折り返したリテーナの末端に挿入させ、リテーナの縁の丸棒を巻いた部分を押え金具で押さえ付ける形式になっているため、濾布のシールとリテーナの取り付け固定を同時に行うことになる。このためボルトの締め付けは、十分に強固なものとしなければならず、集塵装置本体の濾過前の含塵空気が流入する部屋の天井でこの作業を行うのは作業性が良くない。
【０００８】
本発明は上述の点にかんがみてなされたもので、組み立てが容易であり、集塵装置本体側への取り付け時や交換時に作業性がよく、濾過性能が従来品にくらべて大幅に優れ、据え付けスペースを大幅に節減することができる濾過式集塵装置のリテーナ・濾布組み立て体およびその取り付け方法を提供することを目的とする。
【０００９】
【課題を解決するための手段】
上記目的を達成するため、本発明はパルスジェット方式の逆洗機構を持つ濾過式集塵装置に使用するリテーナ・濾布組み立て体において、上部中心に空気流通孔を備えた濾布と、中心にねじ孔を有する上端部材と該上端部材の外周から垂下した複数本の外枠部材とからなり濾布を外周に保持するための枠組を形成する筒状リテーナと、外周に雄ねじを有して上端部材の中心ねじ孔に下端を固定した管と、管の外周に螺合する雌螺子孔を有する幹部と該幹部の一端に設けたフランジとを備えている緊締部材とを包含し、緊締部材の下端とリテーナの上端部材との間で前記濾布の空気流通孔の周縁部を密封状に締め付け固定することを特徴とする。
【００１０】
また、本発明は濾布が縦形円筒中心部と該中心部から放射状に突出して該中心部に連通した翼部とからなることを特徴とする。
【００１１】
また、本発明は上記の濾過式集塵装置のリテーナ・濾布組み立て体を集塵装置本体の天井に取り付ける方法において、該天井に開けられた清浄空気導出口に固定される連結部と、前記緊締部材のフランジに固定されるフランジとを有する取付具を使用することを特徴とする。
【００１２】
【発明の実施の形態】
本発明を図面に基づいて説明する。
【００１３】
図１は本発明によるリテーナ・濾布組み立て体のリテーナの斜視図である。
【００１４】
図１のリテーナ１は中心にねじ孔１Ｆ（図５に示す）を有する中心部１Ｄおよび該中心部１Ｄから放射状に突出した翼部１Ｅ（図の実施例では４本となっているが、必要に応じ適当に増減することができる）とからなる上端部材１Ａと、該上端部材１Ａの外周から垂下した複数本の外枠部材１Ｂと、外枠部材１Ｂをその長手方向の適当な位置（図の実施例では４箇所）で連結する針金１Ｃから構成されている。外周に雄螺子を有する管２が中心部１Ｄのねじ孔に螺合している。この管２は図示の実施例では上端部材１Ａと別の部材になっているが、上端部材１Ａと一体に形成されてもよい。リテーナ１は全体的に縦形の筒状をなし、後述する濾布３を外周に纏って保持するための枠組を形成する。
【００１５】
図２は本発明によるリテーナ・濾布組み立て体の濾布の斜視図である。
【００１６】
図２の濾布（フィルターチューブ）３はリテーナ１よりもある程度縦方向に長いものとし、リテーナ１の断面の周長と同程度の周長を持つ細長い筒状を基本とし、縦形円筒中心部と該中心部から放射状に突出して該中心部に連通した縦長の翼部３Ａとからなる。翼部３Ａはリテーナ１の翼部１Ａに対応する複数個（図の実施例では４個となっているが、必要に応じ適当に増減することができる）である。上端にはリテーナ１の断面と類似した長円形中心部の布に、上記リテーナ１の管２を通すための円形の孔３Ｂを開けている。濾布３の下端はリテーナ１より下方に延出して開口している。
【００１７】
図４は本発明によるリテーナ・濾布組み立て体の下部の断面図である。
【００１８】
この濾布３の下端の開口は濾布３をリテーナ１に上から被せるための孔となり、濾布３をフィルターとして使用するとき、前記開口は図４に示すように、マジックテープ３Ｃを貼って密閉するか、クリップで挟むか、または特殊な下部キャップなどにより密閉する。濾布３をリテーナ１に被せるとリテーナ１の管２が濾布３の円形の孔３Ｂから上方に突出する（図３参照）。
【００１９】
図３は本発明によるリテーナ・濾布組み立て体の斜視図である。
【００２０】
図３に示すリテーナ・濾布組み立て体２０において、濾布３がリテーナ１（点線で示す）に上から被せられている。図１の実施例ではリテーナ１の翼部１Ｅが４本であるのにたいし、図３の実施例のリテーナ１は２本の翼部を備えていて、通常両張出型板状リテーナと称している。また、１本の翼部を備えたリテーナを片張出型板状リテーナと称している。なお、濾布３の下端の開口は前述したようにマジックテープ３Ｃなどで密閉する。
【００２１】
図６は本発明によるリテーナ・濾布組み立て体の緊締部材の斜視図である。
【００２２】
図６の緊締部材５は管２の外周に螺合する雌螺子孔５Ｂを有する幹部５Ｃと、該幹部５Ｃの一端にフランジ（フェルールフランジ）５Ａを備えている。フランジ５Ａは集塵装置本体の天井の清浄空気導出口１１（図８に示す）に連結するためのものである。
【００２３】
以上の構成になる濾布３と、リテーナ１と、管２と、緊締部材５とを包含する本発明のリテーナ・濾布組み立て体は次のように組み立てて使用される。
【００２４】
濾布３をリテーナ１に被せてリテーナ１の管２を濾布３の円形の孔３Ｂから上方に突出させる。濾布３の下端の開口は上記のいずれかの方法により閉鎖される。濾布３の孔３Ｂから突出した管２に座金４を嵌める（図８参照）。座金４の上から管２に緊締部材５を、フランジ５Ａを上側にして嵌合させて締め付ける。緊締部材５が下降するにつれて、濾布３の円形の孔３Ｂの周縁部は座金４とリテーナ１はの中心部１Ｄとの間で締め付けられ、しっかりと密封される。座金４は使用しなくても目的を達成できるが、使用した方が濾布３の締め付けが確実となる。この状態のリテーナ・濾布組み立て体が次に説明するように集塵装置本体へ取り付けられる。
【００２５】
図５は本発明によるリテーナ・濾布組み立て体を複数個使用した濾過式集塵装置の平面図である。
【００２６】
図５は本発明による４両張出型板状リテーナを使用した多数のリテーナ・濾布組み立て体２０および片張出型板状リテーナを使用した多数のリテーナ・濾布組み立て体２０Ａを立方体状の集塵装置本体ケース１２の中にその上面から垂直に差し込んで大型集塵装置を形成したものである。このように、本発明のリテーナ・濾布組み立て体は１台の集塵装置にただ１個使用するだけでなく、通常は複数個のリテーナ・濾布組み立て体を使用することができる。その際、複数個のリテーナ・濾布組み立て体を林立させるとき、或るリテーナ・濾布組み立て体の濾布３の翼部３Ａを隣のリテーナ・濾布組み立て体の２個の翼部３Ａ、３Ａの間の間隙に接触しないように挿入すれば、狭い集塵装置本体ケース１２の中に沢山のリテーナ・濾布組み立て体を取り付けることができ、集塵装置の性能を向上させることができる。
【００２７】
次に、本発明のリテーナ・濾布組み立て体の集塵装置本体への取り付け方法について説明する。
【００２８】
図７は本発明のリテーナ・濾布組み立て体の集塵装置本体への取り付け方法に使用する取付具の斜視図である。図８は本発明のリテーナ・濾布組み立て体およびこれを集塵装置本体へ取り付ける方法の概略構成を説明図である。
【００２９】
図７の取付具６は、濾過式集塵装置のリテーナ・濾布組み立て体を集塵装置本体の天井１０に取り付けるとき使用されるものであり、図８に示すように、天井１０に開けられた清浄空気導出口１１に固定される連結部６Ａと、緊締部材５のフランジ５Ａに固定されるフランジ（フェルールフランジ）６Ｂとを有する。
【００３０】
取付具６のフランジ６Ｂと緊締部材５のフランジ５Ａはクランプ７により外側から締結される。連結部６Ａは清浄空気導出口１１との間にパッキン９を挟んでバンド８により外側から締結される。
【００３１】
次に、濾過式集塵装置の操作について説明する。
【００３２】
以上説明したような構成を有する本発明のリテーナ・濾布組み立て体を有する濾過式集塵装置をその集塵装置本体へ、上記の取り付け方法により取りつけて運転するとき、含塵空気は吸引作用により、濾布３を浸透して、リテーナ・濾布組み立て体の中に入る。含塵空気中の粉塵は濾布３の表面に付着し、濾過された清浄空気は、濾布３の孔３Ｂから、管２および取付具６を経て、図５に示す矢印方向に清浄空気導出口１１から集塵装置本体の天井１０の上部に流出する。
【００３３】
濾布３の表面に付着した粉塵はパルスジェット方式の逆洗機構により一定間隔で払い落とされる。この逆洗機構は、清浄空気が導出口１１から流出する上記矢印方向と逆方向（下方向）に高圧空気を濾布３内に瞬間的に噴射させて濾布３を振動させ且つ高圧空気を濾布３の内側から外側に逆透過させることにより濾布３の表面の粉塵を払い落とすものである。
【００３４】
【発明の効果】
以上説明したように、本発明によればパルスジェット方式の逆洗機構を持つ濾過式集塵装置に使用するリテーナ・濾布組み立て体において、上部中心に空気流通孔を備えた濾布と、中心にねじ孔を有する上端部材と該上端部材の外周から垂下した複数本の外枠部材とからなり濾布を外周に保持するための枠組を形成する筒状リテーナと、外周に雄ねじを有して上端部材の中心ねじ孔に下端を固定した管と、管の外周に螺合する雌螺子孔を有する幹部と該幹部の一端に設けたフランジとを備えている緊締部材とを包含し、緊締部材の下端とリテーナの上端部材との間で前記濾布の空気流通孔の周縁部を密封状に締め付け固定するようにしたので、次のような極めて優れた効果が得られる。
（１）濾布のシールはリテーナに組み付ける時に行うので、作業性が非常に良い。
（２）リテーナの装置本体への取り付けは、フェルールフランジ同士を合わせてクランプを掛け、クランプのねじを締め付ける方式であるので、装置本体の濾過前の空気が入る部屋の天井であっても作業性が良い。
（３）濾過面の部分が星形の断面を有する筒形となったものもあるが、交換の際は、この組立体と交換するので、このような複雑な断面の濾布でも取り付けやすく使用可能となる。
（４）本発明のリテーナ・濾布組み立て体などを用いれば、既存の濾過式集塵装置（バッグフィルタ）においては、濾布の濾過面積を、円筒形の組立体に対し、およそ１．８倍程度まで増加させることができる。
（５）本発明にフェルールフランジを使用することで、濾布（フィタチューブ）の交換の際のリテーナの着脱の作業性が向上する。
【図面の簡単な説明】
【図１】本発明によるリテーナ・濾布組み立て体のリテーナの斜視図である。
【図２】本発明によるリテーナ・濾布組み立て体の濾布の斜視図である。
【図３】本発明によるリテーナ・濾布組み立て体の斜視図である。
【図４】本発明によるリテーナ・濾布組み立て体の下部の断面図である。
【図５】本発明によるリテーナ・濾布組み立て体を複数個使用した濾過式集塵装置の平面図である。
【図６】本発明によるリテーナ・濾布組み立て体の緊締部材の斜視図である。
【図７】本発明のリテーナ・濾布組み立て体の集塵装置本体への取り付け方法に使用する取付具の斜視図である。
【図８】本発明のリテーナ・濾布組み立て体およびこれを集塵装置本体へ取り付ける方法の概略構成を説明図である。
【符号の説明】
１  リテーナ
１Ａ  上端部材
１Ｂ  外枠部材
１Ｃ  内側枠
１Ｄ  中心部
１Ｅ  翼部
２  管
３  濾布
３Ａ  翼部
３Ｂ  空気流通孔
３Ｃ  マジックテープ
４  座金
５  緊締部材
５Ａ  フランジ
５Ｂ  雌螺子孔
５Ｃ  幹部
６  取付具
６Ａ  連結部
６Ｂ  フランジ
７  クランプ
８  バンド
９  パッキン
１０  天井
１１  清浄空気導出口
１２  集塵装置本体ケース
２０  リテーナ・濾布組み立て体
２０Ａ  リテーナ・濾布組み立て体
【図１】
0003757014.tif 000002
【図２】
0003757014.tif 000003
【図３】
0003757014.tif 000004
【図４】
0003757014.tif 000005
【図５】
0003757014.tif 000006
【図６】
0003757014.tif 000007
【図７】
0003757014.tif 000008
【図８】
0003757014.tif 000009